(57)【要約】【課題】電気光学装置の強度を向上させる。【解決手段】電気光学装置は、電気光学パネル（１００）と、導光板（１１）と、電気光学パネル及び導光板を収容する収容ケース（６３）とを備える。収容ケース（６３）は、金属部材（６２）を含む。金属部材（６２）は、底部（６２ｅ）と、底部からその周縁の少なくとも一部に沿って折り曲げられてなり、導光板の側面側に位置する第１側壁部（６２ａ）と、第１側壁部から導光板が収容される側に、第１側壁部に沿って折り返されてなる第２側壁部（６２ｂ）と、第２側壁部から折り曲げられて底部に部分的に沿って延びる延在部（６２ｃ）とを有する。【選択図】図２
2010224291.tif 000002
【特許請求の範囲】
【請求項１】
電気光学パネルと、
前記電気光学パネルの一のパネル面に対向するように配置された導光板と、
前記電気光学パネル及び前記導光板を収容する収容ケースと
を備え、
前記収容ケースは、
前記導光板に対して前記一のパネル面とは反対側に位置する底部と、
前記底部からその周縁の少なくとも一部に沿って折り曲げられてなり、前記導光板の側面側に位置する第１側壁部と、
前記第１側壁部から前記導光板が収容される側に、前記第１側壁部に沿って折り返されてなる第２側壁部と、
前記第２側壁部から折り曲げられて前記底部に部分的に沿って延びる延在部と
を有する金属部材を含むことを特徴とする電気光学装置。
【請求項２】
前記第２側壁部の前記金属部材より内側には樹脂部材が設けられていることを特徴とする請求項１に記載の電気光学装置。
【請求項３】
前記樹脂部材は、前記第２側壁部を前記導光板に面する側から覆うように形成されることを特徴とする請求項２に記載の電気光学装置。
【請求項４】
前記延在部における前記導光板に面する側に凹部が形成されており、
前記樹脂部材は、前記延在部を前記導光板に面する側から前記凹部を埋め込んで覆うように形成される
ことを特徴とする請求項２又は３に記載の電気光学装置。
【請求項５】
前記延在部に第１開孔部が形成されており、
前記樹脂部材は、前記延在部を前記導光板に面する側から前記第１開孔部を埋め込んで覆うように形成される
ことを特徴とする請求項２又は３に記載の電気光学装置。
【請求項６】
前記底部に、前記導光板に面する側から平面的に見て、前記第１開孔部に重なる第２開孔部が形成されており、
前記樹脂部材は、前記第１開孔部に加えて前記２開孔部を埋め込むように形成されることを特徴とする請求項５に記載の電気光学装置。
【請求項７】
前記第１側壁部は、前記導光板の側面に沿う第１部分と、該第１部分の少なくとも一部から前記電気光学パネルの側面に沿うように延設された第２部分とを有することを特徴とする請求項１から６のいずれか一項に記載の電気光学装置。
【請求項８】
電気光学パネルと、
前記電気光学パネルを収容する収容ケースとを備え、
前記収容ケースは、
前記電気光学パネルの一のパネル面側に位置する底部と、
前記底部からその周縁の少なくとも一部に沿って折り曲げられてなり、前記電気光学パネルの側面側に位置する第１側壁部と、
前記第１側壁部から前記電気光学パネルが収容される側に、前記第１側壁部に沿って折り返されてなる第２側壁部と、
前記第２側壁部から折り曲げられて前記底部に部分的に沿って延びる延在部と
を有する金属部材と、
前記金属部材と一体的に設けられた樹脂部材と
を含むことを特徴とする電気光学装置。
【請求項９】
請求項１から８のいずれか一項に記載の電気光学装置を具備してなることを特徴とする電子機器。
【発明の詳細な説明】
【技術分野】
【０００１】
本発明は、例えば液晶装置等の電気光学装置、及びこのような電気光学装置を備える電子機器の技術分野に関する。
【背景技術】
【０００２】
この種の電気光学装置の一例として、液晶パネルと、ＬＥＤ（Light Emitting Diode）などの光源からの光を液晶パネルへ導く導光板を有するバックライトとが、収容ケースに収容されてなる液晶装置がある（例えば特許文献１から３参照）。
【０００３】
例えば特許文献１や２には、枠状の金属部材と、金属部材の内側或いは外側に、その側壁に少なくとも部分的に沿って一体的に設けられた樹脂部材とからなる収容ケースの構成が開示されている。このような収容ケースでは、バックライトの導光板が樹脂部材内に側面側から囲まれて収容されることで、樹脂部材の光の反射性能により光源からの光をより効率良く導光板を介して液晶パネルに供給することができると共に、金属部材により液晶装置の強度を向上させることができる。
【先行技術文献】
【特許文献】
【０００４】
【特許文献１】特許第３８９１８４３号公報
【特許文献２】特開２００２−２６８０６３号公報
【特許文献３】特開２００２−２２１７０６号公報
【発明の概要】
【発明が解決しようとする課題】
【０００５】
しかしながら、上述した特許文献１や２に開示された収容ケースによれば、例えば電気光学装置の大型化に伴う強度向上の要請に対して、電気光学装置の強度を十分に向上させることが困難になるおそれがあるという技術的問題点がある。
【０００６】
本発明は、例えばこのような問題点に鑑みなされたものであり、より確実に強度を向上させることが可能な電気光学装置及び電子機器を提供することを課題とする。
【課題を解決するための手段】
【０００７】
本発明に係る第１の電気光学装置は上記課題を解決するために、電気光学パネルと、前記電気光学パネルの一のパネル面に対向するように配置された導光板と、前記電気光学パネル及び前記導光板を収容する収容ケースとを備え、前記収容ケースは、前記導光板に対して前記一のパネル面とは反対側に位置する底部と、前記底部からその周縁の少なくとも一部に沿って折り曲げられてなり、前記導光板の側面側に位置する第１側壁部と、前記第１側壁部から前記導光板が収容される側に、前記第１側壁部に沿って折り返されてなる第２側壁部と、前記第２側壁部から折り曲げられて前記底部に部分的に沿って延びる延在部とを有する金属部材を含む。
【０００８】
本発明に係る第１の電気光学装置は、電気光学パネル、バックライトを構成する導光板、及び収容ケースを備える。電気光学パネルは、例えば液晶パネルであり、例えば表示領域において各画素の単位で印加される電圧レベルに応じて例えば液晶等の電気光学物質において光を変調する。電気光学パネルは、バックライトと共にモジュールを構成し、収容ケース内に収容される。バックライトは、例えばＬＥＤ等の光源からの光を電気光学パネルへと導く導光板を有する。導光板は、電気光学パネルに対して一のパネル面に対向するように配置される。このような電気光学パネルでは、光源からの光が導光板を介して一のパネル面に入射され、例えば液晶等の電気光学物質において変調されて、表示光として出射されることにより表示が行われる。
【０００９】
収容ケースは、金属部材を含む。例えば、収容ケースは、金属部材及びこの金属部材と一体的に設けられた樹脂部材を含んでなる。この場合、収容ケースは、例えば、予めプレス加工技術等により作製した金属部材を金型に嵌め込み、溶融された樹脂材料を金型に流し込んで固化する、所謂インサート成形により製造される。収容ケースにおいて、電気光学パネルやバックライトは金属部材及び樹脂部材により規定される開口内に収容される。
【００１０】
金属部材は、底部、この底部と共に上記開口を少なくとも部分的に規定する第１及び第２側壁部、第２側壁部から更に折り曲げられて延在された延在部を有する。電気光学パネル及びバックライトが収容ケース内に収容された状態で、金属部材における底部は、導光板に対して一のパネル面とは反対側に位置する。第１及び第２側壁部は、導光板に対してその側面側に位置する。第１側壁部は、底部からその周縁の少なくとも一部に沿って折り曲げられる。第２側壁部は、第１側壁部から更に導光板が収容される側に、例えばヘミング加工により第１側壁部に沿って折り返されて設けられる。延在部は、第２側壁部から折り曲げられて底部に部分的に沿って延在される。
【００１１】
尚、収容ケースが、金属部材に加えて樹脂部材を含んでなる場合には、樹脂部材は、例えば、導光板の側面を外周側から少なくとも部分的に囲う第３側壁部を有するように形成される。樹脂部材は、例えば光を反射させることが可能な光反射性能を有する樹脂材料により形成され、導光板の側面から出射される光を少なくとも部分的に第３側壁部で反射させることにより、より効率良く光源からの光を導光板を介して、電気光学パネルに入射させることができる。
【００１２】
収容ケース内において、電気光学パネルやバックライトを金属部材により支持することで、例えば落下等により加わる衝撃に対する電気光学装置の強度を確保することができる。
【００１３】
本発明では特に、収容ケースの側壁部分は少なくとも部分的に、金属部材において第１及び第２側壁部を例えばヘミング加工により互いに重ねて形成してあり、更に第２側壁部と連続的に底部にまで部分的に重なって延在する延在部を有する。よって、収容ケースにおいて、その側壁部分から、側壁部分が金属部材の底部により形成される底部分から折り曲がる角部分にかけてまで、少なくとも部分的により強度を向上させることが可能となる。従って、電気光学装置全体の強度を確実に向上させることができる。
【００１４】
以上説明したように、本発明に係る第１の電気光学装置によれば、収容ケースが、底部、第１側壁部、第２側壁部及び延在部を有する金属部材を含んでなるので、電気光学装置の強度を確実に向上させることができる。例えば、電気光学装置の大型化に伴う強度向上の要請に対して、例えば上述した特許文献１や２に開示された収容ケースを備える電気光学装置よりも、電気光学装置の強度を十分に向上させることが可能となる。
【００１５】
本発明に係る第１の電気光学装置の一態様では、前記第２側壁部の前記金属部材より内側には樹脂部材が設けられている。
【００１６】
この態様によれば、収容ケースは、金属部材に加えて樹脂部材を含んでなる。樹脂部材は、例えば光を反射させることが可能な光反射性能を有する樹脂材料により形成され、第２側壁部の金属部材より内側（言い換えれば、金属部材の第２側壁部における導光板に面する側）に設けられている。樹脂部材は、例えば、導光板の側面を外周側から少なくとも部分的に囲うように形成された第３側壁部を有し、金属部材と一体的に設けられる。この態様によれば、収容ケースがこのような樹脂部材を含んでなるので、導光板の側面から出射される光を少なくとも部分的に樹脂部材で反射させることにより、より効率良く光源からの光を導光板を介して、電気光学パネルに入射させることができる。
【００１７】
上述した樹脂部材が設けられる態様では、前記樹脂部材は、前記第２側壁部を前記導光板に面する側から覆うように形成されてもよい
この場合には、樹脂部材が、金属部材における第１側壁部に対して導光板が収容される側に位置する第２側壁部を少なくとも覆うように形成される。従って、第２側壁部における導光板に面する側で、第２側壁部を覆う樹脂部材の一部により、導光板からの光を反射させて導光板内に戻すことができるため、より効率良く光源からの光を導光板を介して、電気光学パネルに入射させることができる。
【００１８】
上述した樹脂部材が設けられる態様では、前記延在部における前記導光板に面する側に凹部が形成されており、前記樹脂部材は、前記延在部を前記導光板に面する側から前記凹部を埋め込んで覆うように形成されてもよい。
【００１９】
この場合には、樹脂部材を、金属部材における延在部を導光板に面する側から覆ってその凹部に、凹部内を埋め込む部分を嵌め合わせて形成することができる。このような嵌め合わせにより、例えば落下等の衝撃により樹脂部材が金属部材から分離して、収容ケースが破損するのをより確実に防止することが可能となる。この結果、電気光学装置の強度をより確実に向上させることができる。
【００２０】
上述した樹脂部材が設けられる態様では、前記延在部に第１開孔部が形成されており、前記樹脂部材は、前記延在部を前記導光板に面する側から前記第１開孔部を埋め込んで覆うように形成されてもよい。
【００２１】
この場合には、樹脂部材を、金属部材における延在部を導光板に面する側から覆ってその第１開孔部に、第１開孔部内を埋め込む部分を嵌め合わせて形成することができる。このような嵌め合わせにより、樹脂部材が金属部材から分離して収容ケースが破損するのを、より確実に防止することが可能となる。
【００２２】
この、延在部に第１開孔部が形成される態様では、前記底部に、前記導光板に面する側から平面的に見て、前記第１開孔部に重なる第２開孔部が形成されており、前記樹脂部材は、前記第１開孔部に加えて前記２開孔部を埋め込むように形成されるように構成してもよい。
【００２３】
このように構成すれば、樹脂部材が金属部材から分離して収容ケースが破損するのを、より確実に防止することが可能となる。
【００２４】
即ち、樹脂部材を、金属部材における延在部の第１開孔部に加えて底部の第２開孔部にも、第１開孔部内から連続的に第２開孔部内を埋め込む部分を嵌め合わせて形成することができる。従って、樹脂部材と金属部材とをより強く嵌め合わせることが可能となる。
【００２５】
本発明に係る第１の電気光学装置の他の態様では、前記第１側壁部は、前記導光板の側面に沿う第１部分と、該第１部分の少なくとも一部から前記電気光学パネルの側面に沿うように延設された第２部分とを有する。
【００２６】
この態様によれば、金属部材において、第２側壁部は、第１側壁部からこれに沿って折り返されるため、第１側壁部における第１部分に沿う一部と、第１側壁部における第２部分に沿う他部とを有する。従って、重なり合う第１及び第２側壁部により収容ケース内において導光板に加えて電気光学パネルをもその側面側から少なくとも部分的に支持することが可能となり、電気光学装置の強度をより確実に向上させることができる。
【００２７】
本発明に係る第２の電気光学装置は上記課題を解決するために、電気光学パネルと、前記電気光学パネルを収容する収容ケースとを備え、前記収容ケースは、前記電気光学パネルの一のパネル面側に位置する底部と、前記底部からその周縁の少なくとも一部に沿って折り曲げられてなり、前記電気光学パネルの側面側に位置する第１側壁部と、前記第１側壁部から前記電気光学パネルが収容される側に、前記第１側壁部に沿って折り返されてなる第２側壁部と、前記第２側壁部から折り曲げられて前記底部に部分的に沿って延びる延在部とを有する金属部材と、前記金属部材と一体的に設けられた樹脂部材とを含む。
【００２８】
本発明に係る第２の電気光学装置は、収容ケースが、底部、第１側壁部、第２側壁部及び延在部を有する金属部材を含んでなるので、上述した本発明に係る第１の電気光学装置と概ね同様に、電気光学装置の強度を確実に向上させることができる。
【００２９】
本発明の電子機器は上記課題を解決するために、上述した本発明の電気光学装置（但し、その各種態様も含む）を具備してなる。
【００３０】
本発明の電子機器によれば、上述した本発明の第１又は第２の電気光学装置を具備してなるので、より確実に強度を向上させることが可能な、タッチパネル機能を有するＰＤＡ等の携帯情報端末、投射型表示装置、テレビ、携帯電話、電子手帳、ワードプロセッサ、ビューファインダ型又はモニタ直視型のビデオテープレコーダ、ワークステーション、テレビ電話、ＰＯＳ端末などの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた表示装置を実現することも可能である。
【００３１】
本発明の作用及び他の利得は次に説明する実施するための最良の形態から明らかにされる。
【図面の簡単な説明】
【００３２】
【図１】第１実施形態に係る電気光学装置の構成を概略的に示す平面図である。
【図２】図１のＡ−Ａ'線断面図である。
【図３】図１のＢ−Ｂ'線断面図である。
【図４】第３側壁部と延在部との嵌め合わせの構成に着目して、第１変形例について部分的に示す部分断面図である。
【図５】第３側壁部と延在部との嵌め合わせの構成に着目して、第２変形例について部分的に示す部分断面図である。
【図６】第３側壁部と、第１及び第２側壁部並びに延在部との配置関係に着目して、第３変形例について部分的に示す部分断面図である。
【図７】第２実施形態に係る電気光学装置の構成を示す断面図である。
【図８】本発明に係る電気光学装置を適用した電子機器の一例たる携帯情報端末の構成を概略的に示す斜視図である。
【発明を実施するための形態】
【００３３】
以下、図面を参照しながら、本発明の実施形態を説明する。尚、以下の図では、各層・各部材を図面上で認識可能な程度の大きさとするため、各図ごとに各層・各部材ごとの縮尺を異ならしめて図示することもある。
【００３４】
＜第１実施形態＞
第１実施形態に係る電気光学装置の構成について、図１から図３を参照して説明する。本実施形態では、本発明に係る電気光学装置の一例として液晶装置を挙げる。
【００３５】
図１は、本実施形態に係る液晶装置の構成を概略的に示す平面図である。図２は、図１のＡ−Ａ'線断面図である。図３は、図１のＢ−Ｂ'線断面図である。
【００３６】
図１から図３に示すように、本実施形態に係る液晶装置は、液晶パネル１００及びバックライトを構成する導光板１１（図２及び図３参照）が、収容ケース６３内に収容されてなる。
【００３７】
液晶パネル１００は、ＴＦＴ（Thin Film Transistor）等のスイッチング素子によって液晶素子を駆動するアクティブマトリクス駆動方式の表示パネルであり、表示領域において画像を表示することが可能に構成されている。尚、液晶パネル１００は、本発明に係る「電気光学パネル」の一例である。
【００３８】
図２及び図３に示すように、液晶パネル１００は、例えばガラス等の透光性材料から夫々形成されたＴＦＴアレイ基板１及び対向基板２間に液晶層４（図２参照）が挟持された構造を有する透過型の液晶パネルとして構成されている。ＴＦＴアレイ基板１及び対向基板２は、枠状のシール材３によって互いに貼り合わされている。この枠状のシール材３によって規定される領域に液晶層４が設けられている。尚、本発明では、液晶パネル１００は、特定の構成に限定されず、周知の種々の構成を採り得る。
【００３９】
対向基板２側には、対向電極や配向膜等が形成され、ＴＦＴアレイ基板１側には、画素スイッチング用ＴＦＴや走査線、データ線等の配線の上層に、例えばＩＴＯ（Indium Tin Oxide）等の透明材料からなる画素電極がマトリクス状に設けられ、画素電極上には配向膜が形成される。また、ＴＦＴアレイ基板１及び対向基板２の各々には、互いに対向する側とは反対側に偏光板５が設けられている。
【００４０】
液晶パネル１００の駆動時において、画素毎に画素電極には画像信号が供給され、対向電極との間で一定期間保持される。このようにして印加される電圧レベルにより液晶は、分子集合の配向や秩序が変化することにより、光を変調し、階調表示を可能とする。液晶装置の動作時、バックライトから液晶パネル１００に照射光が供給されると、液晶パネル１００において照射光は液晶層４に入射されて変調され、表示光として出射される。尚、詳細な説明は省略するが、各画素はデータ線や走査線に画像信号等の各種信号が供給されることにより駆動され、画素電極は画素スイッチング用ＴＦＴによりスイッチング制御される。
【００４１】
図１及び図２に示すように、液晶パネル１００を駆動するための駆動回路は、ＴＦＴアレイ基板１上に実装されたドライバＩＣ４０内に作り込まれる。ドライバＩＣ４０には、配線５２（図１参照）を介してフレキシブル基板（ＦＰＣ：Flexible Printed Circuits）５１が電気的に接続され、フレキシブル基板５１のコネクタ５１ａを介して、当該液晶装置が組み込まれる電子機器と電気的に接続される。尚、図２に示すように、フレキシブル基板５１は、液晶パネル１００に接続された一方側に対する他方側が、バックライト（即ち液晶パネル１００においてフレキシブル基板５１が接続された表側と反対の裏側）に向かって、収容ケース６３の外側に折り曲げられて設けられる。
【００４２】
図２及び図３において、導光板１１は、収容ケース６３内において液晶パネル１００に対して一のパネル面に対向するように配置される。バックライトにおいて、例えばＬＥＤ等の光源１５から図２中の白抜き矢印で示されるように照射される光は、導光板１１に入射され、導光板１１を介して液晶パネル１００の一のパネル面へと照射光として出射される。
【００４３】
図２及び図３において、導光板１１には、液晶パネル１００と面する側にプリズムシート（或いはレンズシート）や拡散シートを含む光学シート１２が設けられると共に、光学シート１２が配置される側と反対側に導光板１１からの光を反射させる反射シート（或いはリフレクタシート）１４が設けられる。
【００４４】
図２及び図３において、収容ケース６３は、一体化された樹脂部材６１及び金属部材６２を含む。収容ケース６３は、例えば、予めプレス加工技術等により作製した金属部材６２を金型に嵌め込み、溶融された樹脂材料を金型に流し込んで固化して樹脂部材６１を形成する、所謂インサート成形により製造される。液晶パネル１００は、バックライトと共にモジュールを構成し、収容ケース６３における樹脂部材６１及び金属部材６２により規定される開口内に収容される。
【００４５】
図２及び図３に示すように、金属部材６２は、底部６２ｅと、底部６２ｅと共に前述のモジュールを収容するための開口を規定する第１側壁部６２ａ及び第２側壁部６２ｂと、第２側壁部６２ｂから折り曲げられて延在された延在部６２ｃとを有している。
【００４６】
液晶パネル１００及び導光板１１が収容ケース６３内に収容された状態で、金属部材６２における底部６２ｅは、導光板１１に対して、液晶パネル１００の一のパネル面と対向する側とは反対側に位置し、第１側壁部６２ａ及び第２側壁部６２ｂは、導光板１１に対してその側面側に位置する。第１側壁部６２ａは、底部６２ｅからその周縁の少なくとも一部に沿って折り曲げられ、第２側壁部６２ｂは、第１側壁部６２ａから更に導光板１１が収容される側に、例えばヘミング加工により第１側壁部６２ａに沿って折り返されて設けられる。延在部６２ｃは、第２側壁部６２ｂから折り曲げられて底部６２ｅに部分的に沿って延在される。
【００４７】
第１側壁部６２ａは、導光板１１の側面に沿う第１部分６２ａａと、第１部分６２ａａの少なくとも一部から液晶パネル１００の側面に沿うように延設された第２部分６２ａｂとを有する。第２側壁部６２ｂは、第１側壁部６２ａからこれに沿って折り返されるため、第１部分６２ａａに沿う一部と、第２部分６２ａｂに沿う他部とを有する。
【００４８】
図１において、収容ケース６３の側壁部分は、平面的に見て矩形状のＴＦＴアレイ基板１又は対向基板２を、その４辺に対応する四方から囲うように形成され、収容ケース６３の底部分と共に、液晶パネル１００やバックライトを収容するための開口を規定している。収容ケース６３の側壁部分のうち平面的に見て、フレキシブル基板５１が配置される一方の側の一部と、この一部を除いてＴＦＴアレイ基板１又は対向基板２を三方から囲う他の部分とでは、フレキシブル基板５１を前述のように折り曲げて導出するために、好ましくは高さが異なるように形成される。
【００４９】
このため一例として、収容ケース６３の側壁部分のうち第１側壁部６２ａにおいて、第１部分６２ａａはＴＦＴアレイ基板１又は対向基板２を四方から囲うように設けられるが、図２又は図３に示すように第２部分６２ａｂはフレキシブル基板５１が配置される側を除く三方からＴＦＴアレイ基板１又は対向基板２を囲うように、第１部分６２ａａの一部から延設される。
【００５０】
図２及び図３において、樹脂部材６１は、第２側壁部６２ｂの内側に設けられており、導光板１１の側面を外周側から少なくとも部分的に囲うように形成された第３側壁部６１ａを有する。第３側壁部６１ａは、金属部材６２に対して第２側壁部６２ｂを少なくとも覆うように形成される。例えば図２又は図３に示すように、金属部材６２に対して、第３側壁部６１ａは、第１側壁部６２ａにおける液晶パネル１００や導光板１１が収容される側と反対側の外周側に面する側面部分を露出させて、第２側壁部６２ｂ及び延在部６２ｃを液晶パネル１００や導光板１１が収容される側から覆うように形成される。尚、第３側壁部６１ａは図２に示すように、上述したように収容ケース６３の側壁部分の高さが部分的に異なるように、既に説明したような金属部材６２の第１側壁部６２ａの形状に対応させて形成されるのが好ましい。
【００５１】
尚、樹脂部材６１の第３側壁部６１ａは、導光板１１の側面に対向するように形成された第１部分６１ａａと、液晶パネル１００の側面に対向するように形成された第２部分６１ａｂとを含んでなる。
【００５２】
樹脂部材６１は、例えば光を反射させることが可能な光反射性能を有する樹脂材料により形成され、導光板１１の側面から出射される光を少なくとも部分的に第３側壁部６１ａで反射させて導光板１１内に戻すことにより、より効率良く光源１５からの光を導光板１１を介して、液晶パネル１００に入射させることができる。上述したように第３側壁部６１ａが第２側壁部６２ｂを覆うように形成することで、第２側壁部６２ｂにおける導光板１１に面する側で、第２側壁部６２ｂを覆う第３側壁部６１ａの一部により、導光板１１からの光を反射させて導光板１１内に戻すことができるため、より効率良く光源１５からの光を導光板１１を介して、液晶パネル１００に入射させることができる。
【００５３】
一方、上述したように収容ケース６３内において、液晶パネル１００や導光板１１を樹脂部材６１に加えて金属部材６２により支持することで、例えば落下等により加わる衝撃に対する液晶装置の強度を確保することができる。特に、収容ケース６３の側壁部分は少なくとも部分的に、金属部材６２において第１側壁部６２ａ及び第２側壁部６２ｂを例えばヘミング加工により互いに重ねて形成してあり、更に第２側壁部６２ｂと連続的に底部６２ｅにまで部分的に重なって延在する延在部６２ｃを有する。従って、収容ケース６３において、その側壁部分から、側壁部分が金属部材６２の底部６２ｅにより形成される底部分から折り曲がる角部分にかけてまで、少なくとも部分的により強度を向上させることが可能となる。
【００５４】
また、第１側壁部６２ａは上述したように第１部分６２ａａ及び第２部分６２ａｂを有し、第２側壁部６２ｂは第１側壁部６２ａに重なるため、第１側壁部６２ａ及び第２側壁部６２ｂにより収容ケース６３内において導光板１１に加えて液晶パネル１００をもその側面側から少なくとも部分的に支持することが可能となり、当該液晶装置の強度をより確実に向上させることができる。
【００５５】
以上説明したように、本実施形態に係る液晶装置によれば、収容ケース６３が、底部６２ｅ、第１側壁部６２ａ、第２側壁部６２ｂ及び延在部６２ｃを有する金属部材６２を含んでなるので、当該液晶装置の強度を確実に向上させることができる。例えば、液晶装置の大型化に伴う強度向上の要請に対して、例えば上述した特許文献１や２に開示された収容ケースを備える液晶装置よりも、液晶装置の強度を十分に向上させることが可能となる。
【００５６】
ここに、図２及び図３において、延在部６２ｃにおける導光板１１に面する側に凹部６２ｃｈが形成されており、樹脂部材６１において、第３側壁部６１ａは、延在部６２ｃを導光板１１に面する側から凹部６２ｃｈを埋め込んで覆うように形成される。従って、樹脂部材６１の第３側壁部６１ａを、延在部６２ｃの凹部６２ｃｈに、凹部６２ｃｈ内を埋め込む部分を嵌め合わせて形成することができる。このような嵌め合わせにより、例えば落下等の衝撃により樹脂部材６１が金属部材６２から分離して、収容ケース６３が破損するのをより確実に防止することが可能となる。この結果、液晶装置の強度をより確実に向上させることができる。
【００５７】
尚、樹脂部材６１における第３側壁部６１ａと、金属部材６２における延在部６２ｃとの嵌め合わせは、上述したような構成に限定されず、以下のようであってもよい。ここに、図４は、第３側壁部と延在部との嵌め合わせの構成に着目して、第１変形例について部分的に示す部分断面図であり、図５は、第３側壁部と延在部との嵌め合わせの構成に着目して、第２変形例について部分的に示す部分断面図である。
【００５８】
図４に示す第１変形例では、延在部６２ｃに第１開孔部６２ｃｈ１が形成されており、第３側壁部６１ａは、延在部６２ｃを導光板１１に面する側（図２又は図３参照）から第１開孔部６２ｃｈ１を埋め込んで覆うように形成される。この場合、第３側壁部６１ａを、延在部６２ｃの第１開孔部６２ｃｈ１に、第１開孔部６２ｃｈ１内を埋め込む部分を嵌め合わせて形成することができる。
【００５９】
図５に示す第２変形例では、延在部６２ｃに第１開孔部６２ｃｈ１が形成されると共に、金属部材６２の底部６２ｅに、導光板１１に面する側から平面的に見て、第１開孔部６２ｃｈ１に重なる第２開孔部６２ｅｈが形成されており、第３側壁部６１ａは、第１開孔部６２ｃｈ１及び第２開孔部６２ｅｈを埋め込むように形成される。これにより、第３側壁部６１ａを、第１開孔部６２ｃｈ１に加えて第２開孔部６２ｅｈにも、第１開孔部６２ｃｈ１内から連続的に第２開孔部６２ｅｈ内を埋め込む部分を嵌め合わせて形成することができる。従って、樹脂部材６１と金属部材６２とをより強く嵌め合わせることが可能となる。
【００６０】
ここに、図６は、第３側壁部と、第１及び第２側壁部、並びに延在部との配置関係に着目して、第３変形例について部分的に示す部分断面図である。図２又は図３では、樹脂部材６１の第３側壁部６１ａを、第１側壁部６２ａにおける外周側の側面部分を露出させるように形成する一例を説明したが、図６に第３変形例として示すように、第３側壁部６１ａは、第１側壁部６２ａを外周側から覆って、第２側壁部６２ｂ及び延在部６２ｃ、更には底部６２ｅも、液晶パネル１００や導光板１１が収容される側から覆うように形成されてもよい。このように構成すれば、例えば第２側壁部６２ｂ及び延在部６２ｃに加えて、底部６２ｅにおいても導光板１１に面する側で第３側壁部６１ａの一部により、導光板１１からの光を反射させることができる。更に、樹脂部材６１における第３側壁部６１ａが第１側壁部６２ａを外周側からも覆っているので、樹脂部材６１と金属部材６２とをより強固に一体化させることができ、収容ケース６３の強度をより一層向上させることもできる。この結果、当該液晶装置全体の強度をより一層向上させることも可能である。
【００６１】
＜第２実施形態＞
第２実施形態に係る電気光学装置の構成について、図７を参照して説明する。尚、本実施形態では、本発明に係る電気光学装置の一例として有機ＥＬ（Electro-Luminescence）装置を挙げる。
【００６２】
図７は、第２実施形態に係る電気光学装置の構成を示す断面図である。図７は、第２実施形態における、図３と同趣旨の断面図である。
【００６３】
図７において、本実施形態に係る有機ＥＬ装置は、有機ＥＬパネル２００が収容ケース６５内に収容されてなる。
【００６４】
有機ＥＬパネル２００は、ＴＦＴ等のスイッチング素子によって有機ＥＬ素子を駆動するアクティブマトリクス駆動方式の表示パネルであり、表示領域において画像を表示することが可能に構成されている。尚、有機ＥＬパネル２００は、本発明に係る「電気光学パネル」の一例である。尚、本発明では、有機ＥＬパネル２００は、特定の構成に限定されず、周知の種々の構成を採り得る。
【００６５】
収容ケース６５は、金属部材６６及び樹脂部材６７を含んでいる。
【００６６】
金属部材６６は、底部６６ｅと、底部６６ｅと共に有機ＥＬパネル２００を収容するための開口を規定する第１側壁部６６ａ及び第２側壁部６６ｂと、第２側壁部６６ｂから折り曲げられて延在された延在部６６ｃとを有している。
【００６７】
有機ＬＥパネル２００が収容ケース６５内に収容された状態で、金属部材６６における底部６６ｅは、有機ＥＬパネル２００の一のパネル面側に位置し、第１側壁部６６ａ及び第２側壁部６６ｂは、有機ＥＬパネル２００に対してその側面側に位置する。第１側壁部６６ａは、底部６６ｅからその周縁の少なくとも一部に沿って折り曲げられ、第２側壁部６６ｂは、第１側壁部６６ａから更に有機ＥＬパネル２００が収容される側に、例えばヘミング加工により第１側壁部６６ａに沿って折り返されて設けられる。延在部６６ｃは、第２側壁部６６ｂから折り曲げられて底部６６ｅに部分的に沿って延在される。
【００６８】
樹脂部材６７は、金属部材６６の内側（即ち、金属部材６６における有機ＥＬパネル２００が配置される側）に、金属部材６６と一体的に設けられている。樹脂部材６７は、第２側壁部６６ｂ、底部６６ｅ及び延在部６６ｃを、有機ＥＬパネル２００に面する側から覆うように形成されている。
【００６９】
上述したような収容ケース６５によれば、有機ＥＬパネル２００を樹脂部材６７に加えて金属部材６６により支持することで、例えば落下等により加わる衝撃に対する有機ＥＬ装置の強度を確保することができる。特に、収容ケース６５の側壁部分は少なくとも部分的に、金属部材６６において第１側壁部６６ａ及び第２側壁部６６ｂを例えばヘミング加工により互いに重ねて形成してあり、更に第２側壁部６６ｂと連続的に底部６６ｅにまで部分的に重なって延在する延在部６６ｃを有する。従って、収容ケース６５において、その側壁部分から、側壁部分が金属部材６６の底部６６ｅにより形成される底部分から折り曲がる角部分にかけてまで、少なくとも部分的により強度を向上させることが可能となる。
【００７０】
また、第１側壁部６６ａ及び第２側壁部６６ｂは互いに重なるため、第１側壁部６６ａ及び第２側壁部６６ｂにより収容ケース６５内において有機ＥＬパネル２００をその側面側から少なくとも部分的に支持することが可能となり、当該有機ＥＬ装置の強度をより確実に向上させることができる。
【００７１】
以上説明したように、本実施形態に係る有機ＥＬ装置によれば、収容ケース６５が、底部６６ｅ、第１側壁部６６ａ、第２側壁部６６ｂ及び延在部６６ｃを有する金属部材６６を含んでなるので、当該有機ＥＬ装置の強度を確実に向上させることができる。
【００７２】
ここに、図７において、延在部６６ｃにおける有機ＥＬパネル２００に面する側に凹部６６ｃｈが形成されており、樹脂部材６７は、延在部６６ｃを有機ＥＬパネル２００に面する側から凹部６６ｃｈを埋め込んで覆うように形成される。従って、樹脂部材６７を、延在部６６ｃの凹部６６ｃｈに、凹部６６ｃｈ内を埋め込む部分を嵌め合わせて形成することができる。このような嵌め合わせにより、例えば落下等の衝撃により樹脂部材６７が金属部材６６から分離して、収容ケース６５が破損するのをより確実に防止することが可能となる。この結果、有機ＥＬ装置の強度をより確実に向上させることができる。
【００７３】
＜電子機器＞
次に、上述した本実施形態に係る電気光学装置を適用可能な電子機器の具体例について、図８を参照して説明する。
【００７４】
上述した液晶装置を、タッチパネル機能（或いはタッチスクリーン機能）を有するＰＤＡ機器等の携帯情報端末の表示部に適用した例について説明する。図８は、この携帯情報端末の構成を示す斜視図である。同図に示すように、ポータブルコンピュータ４０００は、本体部に操作ボタン４００１や電源スイッチ４００２を備え、上述した電気光学装置を適用した表示部４００３を備えている。表示部４００３においてはタッチペン等による入力操作が可能となっており、本体部では操作ボタン４００１等に加えてタッチペン等による入力内容に従った動作を行うことが可能なように構成されている。
【００７５】
尚、図８を参照して説明した電子機器の他にも、プロジェクタや、テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末等が挙げられる。そして、これらの各種電子機器に適用可能なのは言うまでもない。
【００７６】
また本発明は、上述の実施形態で説明した液晶装置、有機ＥＬ装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、デジタルマイクロミラーデバイス（ＤＭＤ）、電気泳動装置等にも適用可能である。
【００７７】
本発明は、上述した実施形態に限られるものではなく、特許請求の範囲及び明細書全体から読み取れる発明の要旨或いは思想に反しない範囲で適宜変更可能であり、そのような変更を伴う電気光学装置及び電子機器もまた本発明の技術的範囲に含まれるものである。
【符号の説明】
【００７８】
１１…導光板、６１、６７…樹脂部材、６１ａ…第３側壁部、６２、６６…金属部材、６２ａ、６６ａ…第１側壁部、６２ｂ、６６ｂ…第２側壁部、６２ｃ、６６ｃ…延在部、６２ｅ、６６ｅ…底部、６３、６５…収容ケース、１００…液晶パネル、２００…有機ＥＬパネル
【図１】
2010224291.tif 000003
【図２】
2010224291.tif 000004
【図３】
2010224291.tif 000005
【図４】
2010224291.tif 000006
【図５】
2010224291.tif 000007
【図６】
2010224291.tif 000008
【図７】
2010224291.tif 000009
【図８】
2010224291.tif 000010